(57)【要約】【課題】在宅介護においても、家族や訪問介護員などが利用しやく、狭い住宅事情においても収納が容易で、機械的な不具合が発生しない廃棄物封止具を提供することを目的とする。【解決手段】  少なくとも片面に粘着層を設けた封止フィルムを複数枚重ねた積層体と、前記積層体を覆って挟持する基部と蓋部とを有する挟持部とを具備する廃棄物封止具、前記封止フィルムの端部に粘着層が設けられていない余白部を有することを特徴とする前記の廃棄物封止具、前記封止フィルムが多角形の形状であり、前記余白部が前記封止フィルムの少なくとも一辺に設けられていることを特徴とする前記のいずれかに記載の廃棄物封止具で解決した。【選択図】図１
2014101174.tif 000002
【特許請求の範囲】
【請求項１】
少なくとも片面に粘着層を設けた封止フィルムを複数枚重ねた積層体と、前記積層体を覆って挟持する基部と蓋部とを有する挟持部とを具備することを特徴とする廃棄物封止具。
【請求項２】
前記封止フィルムの端部に粘着層が設けられていない余白部を有することを特徴とする請求項１に記載の廃棄物封止具。
【請求項３】
前記封止フィルムが多角形の形状であり、前記余白部が前記封止フィルムの少なくとも一辺に設けられていることを特徴とする請求項１又は請求項２に記載の廃棄物封止具。
【発明の詳細な説明】
【技術分野】
【０００１】
本発明は、家庭などで生じる成人又は幼児の使用済みおむつなどを包装する封止具に関するものである。
【背景技術】
【０００２】
従来、病院や老人保健施設などにおいて看護士や職員が患者や老人の部屋を回っておむつを交換しているが、未使用の紙おむつやタオルを運んで患者や老人のおむつを交換し、使用済みの紙おむつやタオルを回収、廃棄するための廃棄物封止装置が提案されている。
【０００３】
例えば、特許文献１に記載されているように、ロール状に用意された対向する封止シートを供給機構により供給し、その対向する封止シートの間に発臭性廃棄物を投入して圧着機構により接着し、切断機構により個々に切断する機械装置が開示されている。
【先行技術文献】
【特許文献】
【０００４】
【特許文献１】特開２００６−１２４０２９
【発明の概要】
【発明が解決しようとする課題】
【０００５】
しかしながら、特許文献１に記載されている装置は、病院や老人保健施設などにおいて看護士や職員が利用するには便利であるが、近年は個々の家庭などにおいての介護も増えている中、そのような在宅介護において利用するには置き場所に困る大きさであり、動作不良など不具合があると対応に苦慮し、装置本体が高価であるとの問題があった。
【０００６】
そこで、本発明は、在宅介護においても、家族や訪問介護員などが利用しやすく、狭い住宅事情においても収納が容易で、機械的な不具合が発生しない廃棄物封止具を提供することを目的とする。
【課題を解決するための手段】
【０００７】
（１）すなわち、本発明は、少なくとも片面に粘着層を設けた封止フィルムを複数枚重ねた積層体と、前記積層体を覆って挟持する基部と蓋部とを有する挟持部とを具備することを特徴とする廃棄物封止具である。
【０００８】
（２）そして、前記封止フィルムの端部に粘着層が設けられていない余白部を有することを特徴とする前記（１）に記載の廃棄物封止具である。
【０００９】
（３）そして、前記封止フィルムが多角形の形状であり、前記余白部が前記封止フィルムの少なくとも一辺に設けられていることを特徴とする前記（１）又は前記（２）に記載の廃棄物封止具である。
【発明の効果】
【００１０】
前記（１）に記載の廃棄物封止具によれば、在宅介護においても、家族や訪問介護員などが利用しやく、狭い住宅事情においても収納が容易で、機械的な不具合が発生しない効果を奏する。
また、前記（２）に記載の廃棄物封止具によれば、さらに、廃棄物を封止する際に封止フィルムを剥がし易くなるため、廃棄物を封止し易くすることができる。
また、前記（３）に記載の廃棄物封止具によれば、さらに、廃棄物を封止フィルムの余白部がある端部に載置し、余白部から回転または折り畳む等の作業をすることにより封止することができるため、廃棄物をより封止し易くすることができる。
【図面の簡単な説明】
【００１１】
【図１】本発明に係る廃棄物封止具の一実施例をあらわす斜視図である。
【図２】本発明に係る廃棄物封止具の他の実施例をあらわす側断面図である。
【図３】本発明に係る廃棄物封止具の一実施例により廃棄物を封止している途中状態を示す斜視図である。
【図４】本発明に係る廃棄物封止具の一実施例により廃棄物を封止した後の廃棄物の状態を示す斜視図である。
【発明を実施するための形態】
【００１２】
以下、本発明に係る廃棄物封止具に関する実施の形態について、添付の図面に基づいて詳しく説明する。なお、以下に説明する実施形態は、本発明を実施するに好ましい具体例であるから、技術的に種々の限定がなされているが、本発明は、以下の説明において特に発明を限定する旨が明記されていない限り、この形態に限定されるものではない。また、説明中における範囲を示す表記のある場合は、上限と下限を含有するものである。
【００１３】
図１に示すように、上面に粘着層１２を設け、一端部に粘着層１２を設けない余白部１３を有する長方形状の封止フィルム１１が、複数枚積層されて積層体１を構成する。そして、積層体１は、積層体１の平面よりも広い長方形状の基部２１と、基部２１と略同形状の蓋部２２とから構成される挟持部２に挟みこまれて載置している。
【００１４】
封止フィルム１１は、廃棄物３を封止するものであり、廃棄物３に含まれる汚物が漏洩することを防止し、臭気が拡散することを防止する。封止フィルム１１は、厚みの薄い長方形状を有しており、一辺の長さが３００〜６００ｍｍ、他辺の長さが３００〜７００ｍｍが好ましく、一辺の長さが３５０〜５００ｍｍ、他辺の長さが３５０〜６００ｍｍがさらに好ましい。また、封止フィルム１１の厚みは、１０〜５０μｍが好ましく、２０〜４０μｍがさらに好ましい。なお、封止フィルム１１の形状としては、長方形状に限定されるものでなく、円形、楕円形、その他の多角形であっても良い。
【００１５】
封止フィルム１１の材質は、ポリプロピレン（ＰＰ）、ポリエチレン（ＰＥ）、ポリ塩化ビニル（ＰＶＣ）、ポリ塩化ビニリデン（ＰＶＤＣ）、ポリエチレンテレフタレート（ＰＥＴ）、ポリビニル酢酸（ＰＶＣ）、ポリカーボネート（ＰＣ）、ポリスチレン（ＰＳ）、ポリアクリロニトリル（ＰＡＮ）、エチレン酢酸ビニル共重合体（ＥＶＡ）、エチレンメタクリル酸共重合体（ＥＭＡＡ）などの高分子材料が好ましい。そして、臭気の拡散防止のため延伸ポリプロピレン（ＯＰＰ）、ポリエチレンテレフタレート（ＰＥＴ）がさらに好ましい。また、封止フィルム１１は、例えばＯＰＰとＰＥとを用いるなどのように上記材質を複数層重ね合わせて作成されても良く、アルミラミネートやアルミ蒸着などさらにガスバリア性を高めて作成されても良い。
【００１６】
封止フィルム１１において、粘着層１２を設けられている面の反対面には、他の封止フィルム１１に設けられた粘着層１２と離れ易くするために、シリコ−ン、流動パラフィン、植物性ワックスなど粘着層１２よりも極性の低い離型剤が塗布されていても良い。そして、封止フィルム１１は、無色透明、各種顔料又は染料を配合して有色透明とすることができるし、各種添加物を配合して、乳白色など半透明にすることができ、さらに不透明とすることもできる。
【００１７】
粘着層１２は、本発明を保存時には封止フィルム１１と他の封止フィルム１１を繋ぎとめ、また、使用時にはその粘着層１２又はその反対面とで廃棄物３を封止する。粘着層１２は、封止フィルム１１上に封止フィルム１１の面積の８０〜９９％を覆って薄膜状に塗布されている。粘着層１２の厚みは２〜１０μｍが好ましく、３〜７μｍがさらに好ましい。
【００１８】
粘着層１２の材質は、ゴム系粘着剤、アクリル系粘着剤、シリコーン系粘着剤、ウレタン系粘着剤などの高分子材料が好ましい。そして、再剥離性に優れるためウレタン系粘着剤がさらに好ましい。また、粘着力を調整するために種々の添加材を加えることができる。
【００１９】
余白部１３は、封止フィルム１１上の端部に設けられた粘着層１２を有さない部分であり、一の封止フィルム１１を他の封止フィルム１１から剥がすときに容易に剥がすことができ、廃棄物３を載置させ封止し始める開始位置を視認しやすい。図１、図２に示すように、封止フィルム１１の一辺側の端部に帯状に設けられている。また、二つの角に三角形状となるよう余白部１３を設けてもよいが、廃棄物３の封止のし易さのため、封止フィルム１１の一辺側の端部に帯状に設けられることが好ましい。そして、封止フィルム１１が円形や楕円形の場合、それらの端部に円弧状、略円弧状に帯状に設けられ、さらに封止フィルム１１が長方形以外の多角形の場合、それらの一辺又は複数片の端部に帯状に設けられる。また、余白部１３は、封止フィルム１１の一面前部に粘着層１２を設け、その粘着層１２の一部を覆うよう所定箇所に別体のフィルムを重ね合わせて作成することもできる。そして、図１に示すように余白部１３は粘着層１２が塗布されている箇所とは厚みが異なるため、目視したときに光の屈折率が相違し、粘着層１２との区別が容易である。また、余白部１３の位置は、図１に示すように  挟持部２の折り目側以外に位置していても良いし、図２に示す他の実施例のように挟持部２の折り目側に位置していても良い。
【００２０】
積層体１は、粘着層１２が塗布された封止フィルム１１を他の封止フィルム１１の粘着層１２が設けられていない反対面に複数層重ね合わされて構成されており、一枚一枚剥がして使用することができる。そして、積層体１は、一日に一度使用するとして封止フィルム１１が２５〜３５枚積層されて構成されていることが好ましい。また、最上層の封止フィルム１１には、粘着層１２があらわになっているため、保護フィルムを設けて全体を覆ってもよい。
【００２１】
挟持部２は、積層体１に埃やゴミの付着を抑え、保護する。挟持部２は、積層体１の平面と同等の大きさまたはそれよりも大きい平板形状の基部２１と、基部２１と略同形状の平板形状の蓋部２２とから構成される。図１に示すように本実施例において、基部２１と蓋部２２は、一体の板を半分に折り曲げて構成されているが、別体として構成されていてもよい。そして、基部２１と蓋体２２の形状は、積層体１の形状が円形、楕円形、その他の多角形の形状であった場合には、それらの形状に応じた形状としても良い。また、基部２１と蓋部２２とを固定し、積層体１をしっかりと挟持するために、釦、面ファスナー、紐などの固定手段を設けても良い。基部２１と積層体１とを粘着剤などで固定していても良い。また、挟持部２の材質は、ＰＰ、ＰＥ、ＰＶＣ、ＰＶＤＣ、ＰＥＴ、ＰＶＣ、ＰＣ、ＰＳ、ＰＡＮ、ＥＶＡ、ＥＭＡＡなどの高分子材料が好ましい。汎用性の高さからＰＰ、ＰＥが好ましい。
【００２２】
廃棄物３は、家庭で生じた廃棄すべき物体であり、例えば成人用の使用済みおむつ、汚物を拭きとった後の雑巾、使用済みのガーゼや脱脂綿などが挙げられる。また、幼児用の使用済みおむつであっても良い。
【００２３】
次に、本発明の使用方法について説明する。図３、図４に示すように、廃棄物３を積層体１の最上層にある封止フィルム１１の粘着層１２を有する面の余白部１３側に載置し、余白部１３をめくり転がすように、または折り畳むように廃棄物３を移動させ、巻き取る。そして、両端の部分を密着させることにより、廃棄物３を封止することができる。
【符号の説明】
【００２４】
１・・・積層体
１１・・封止フィルム
１２・・粘着層
１３・・余白部
２・・・挟持部
２１・・基部
２２・・蓋部
３・・・廃棄物
【図１】
2014101174.tif 000003
【図２】
2014101174.tif 000004
【図３】
2014101174.tif 000005
【図４】
2014101174.tif 000006